(57)【要約】【課題】ノイズキャンセリング機能がオンにされている場合において、乗り物に乗車中のユーザに対して、降車タイミングを把握させることができる音声再生装置を提供する。【解決手段】音声再生装置１００は、ノイズを収音するためのマイクロホン１０２と、マイクロホン１０２が収音して得たノイズの音声信号から、ノイズと音響的に合成することで当該ノイズをキャンセルするようにするためのノイズキャンセル用音声信号を生成するＮＣ用フィルタ回路１０６と、ノイズキャンセル用音声信号を音響再生してノイズと音響的に合成するようにするヘッドホンドライバ１１４と、ユーザにより入力された目的地に関する情報に基づいて、目的地へ到着したか否かを判断するための条件を設定する設定部１２２と、設定された条件を満たしたときに、ノイズキャンセル用音声信号のヘッドホンドライバ１１４への供給を遮断するようにする制御部１２０とを備える。【選択図】図１
2011203654.tif 000002
【特許請求の範囲】
【請求項１】
ノイズを収音するための収音部と、
前記収音部が収音して得たノイズの音声信号から、前記ノイズと音響的に合成することで当該ノイズをキャンセルするようにするためのノイズキャンセル用音声信号を生成する生成部と、
前記ノイズキャンセル用音声信号を音響再生して前記ノイズと音響的に合成するようにする再生部と、
ユーザにより入力された目的地に関する情報に基づいて、前記目的地へ到着したか否かを判断するための条件を設定する設定部と、
前記条件を満たしたときに、前記ノイズキャンセル用音声信号の前記再生部への供給を遮断するようにする制御部と、
を備える、音声再生装置。
【請求項２】
前記目的地に関する情報は、乗車時間であり、前記条件は、前記乗車時間が経過したか否かである、請求項１に記載の音声再生装置。
【請求項３】
前記目的地に関する情報は、前記目的地の位置情報であり、前記条件は、現在の位置情報と前記目的地の位置情報とが一致したか否かである、請求項１に記載の音声再生装置。
【請求項４】
前記目的地に関する情報は、前記目的地への到着を知らせるためのアナウンス音声であり、前記条件は、前記ノイズの音声信号のうちのアナウンス音声と前記目的地への到着を知らせるためのアナウンス音声とが一致したか否かである、請求項１に記載の音声再生装置。
【請求項５】
前記制御部は、前記条件を満たしたときに、前記ノイズキャンセル用音声信号の前記再生部への供給を徐々に遮断するようにする、請求項１に記載の音声再生装置。
【請求項６】
前記収音部が収音して得たノイズの音声信号から、前記ノイズと音響的に合成することで当該ノイズをキャンセルするようにするための、前記生成部が生成したノイズキャンセル用音声信号とは異なる他のノイズキャンセル用音声信号を生成する第２の生成部を備え、
前記制御部は、前記条件を満たしたときに、前記他のノイズキャンセル用音声信号が前記再生部へ供給されるように制御し、
前記再生部は、供給された前記他のノイズキャンセル用音声信号を音響再生する、請求項１に記載の音声再生装置。
【請求項７】
ノイズを収音するための収音部で収音して得たノイズの音声信号から、聴取対象の音声成分を強調したモニタ用音声信号を生成する第３の生成部を備え、
前記制御部は、前記条件を満たしたときに、前記モニタ用音声信号が前記再生部へ供給されるように制御し、
前記再生部は、供給された前記モニタ用音声信号を音響再生する、請求項１に記載の音声再生装置。
【請求項８】
前記制御部は、前記条件を満たしたときに、記憶部に記憶された通知音声信号が前記再生部へ供給されるように制御し、
前記再生部は、供給された前記通知音声信号を音響再生する、請求項１に記載の音声再生装置。
【請求項９】
他の収音部を備え、前記収音部と前記他の収音部とを用いて指向性を形成する、請求項１に記載の音声再生装置。
【請求項１０】
さらに他の収音部を備え、当該収音部は、前記収音部と前記他の収音部とを通る軸と交わらない位置に設けられる、請求項９に記載の音声再生装置。
【請求項１１】
ノイズを収音するための収音部が収音して得たノイズの音声信号から、前記ノイズと音響的に合成することで当該ノイズをキャンセルするようにするためのノイズキャンセル用音声信号を生成する生成ステップと、
前記ノイズキャンセル用音声信号を音響再生して前記ノイズと音響的に合成するようにする再生ステップと、
ユーザにより入力された目的地に関する情報に基づいて、前記目的地へ到着したか否かを判断するための条件を設定する設定ステップと、
前記条件を満たしたときに、前記ノイズキャンセル用音声信号が音響再生されないようにする制御ステップと、
を有する、音声再生方法。
【請求項１２】
コンピュータを、
ノイズを収音するための収音部と、
前記収音部が収音して得たノイズの音声信号から、前記ノイズと音響的に合成することで当該ノイズをキャンセルするようにするためのノイズキャンセル用音声信号を生成する生成部と、
前記ノイズキャンセル用音声信号を音響再生して前記ノイズと音響的に合成するようにする再生部と、
ユーザにより入力された目的地に関する情報に基づいて、前記目的地へ到着したか否かを判断するための条件を設定する設定部と、
前記条件を満たしたときに、前記ノイズキャンセル用音声信号の前記再生部への供給を遮断するようにする制御部と、
として機能させるための、プログラム。
【発明の詳細な説明】
【技術分野】
【０００１】
本発明は、音声再生装置、音声再生方法およびプログラムに関する。
【背景技術】
【０００２】
近年、市場で販売されている音声再生装置のうち、ノイズキャンセリング機能を搭載した音声再生装置は徐々にシェアを伸ばしている。ノイズキャンセリング機能は、音声再生装置としてのヘッドホン装置に搭載されたり、音声再生装置としての携帯型音楽プレーヤや携帯電話などに搭載される。このような音声再生装置のシェアが伸びている理由の一つとしては、ノイズキャンセリング機能の性能自体が良くなってきていることが挙げられる。
【０００３】
このようなノイズキャンセリング機能を搭載した音声再生装置に関する様々な技術が提案されている。例えば、ノイズ環境下においても聴取対象の音声を聞き取り易く再生することができるノイズ低減音声再生装置および方法が提案されている（例えば、特許文献１参照。）。
【先行技術文献】
【特許文献】
【０００４】
【特許文献１】特開２０１０−１１１１７号公報
【発明の概要】
【発明が解決しようとする課題】
【０００５】
しかしながら、ノイズキャンセリング機能の性能向上に伴い、例えば、電車やバスなど（以下、「乗り物」という。）に乗車中のユーザが音声再生装置におけるノイズキャンセリング機能をオンにしている場合、周囲のノイズが低減されていることにより、車内アナウンスを聞き逃したり、快適な睡眠に陥ってしまって降車すべき駅やバス停など（以下、「目的地」という。）を通り過ぎてしまうことがある。また、ユーザは降車すべき目的地を通り過ぎてしまうことを恐れて眠いのにもかかわらず寝ることができずに眠気を堪えることもある。
【０００６】
そこで、本発明は、上記問題に鑑みてなされたものであり、本発明の目的とするところは、ノイズキャンセリング機能がオンにされている場合において、乗り物に乗車中のユーザに対して、降車タイミングを把握させることが可能な、新規かつ改良された音声再生装置、音声再生方法およびプログラムを提供することにある。
【課題を解決するための手段】
【０００７】
上記課題を解決するために、本発明のある観点によれば、ノイズを収音するための収音部と、前記収音部が収音して得たノイズの音声信号から、前記ノイズと音響的に合成することで当該ノイズをキャンセルするようにするためのノイズキャンセル用音声信号を生成する生成部と、前記ノイズキャンセル用音声信号を音響再生して前記ノイズと音響的に合成するようにする再生部と、ユーザにより入力された目的地に関する情報に基づいて、前記目的地へ到着したか否かを判断するための条件を設定する設定部と、前記条件を満たしたときに、前記ノイズキャンセル用音声信号の前記再生部への供給を遮断するようにする制御部とを備える音声再生装置が提供される。
【０００８】
前記目的地に関する情報は、乗車時間であり、前記条件は、前記乗車時間が経過したか否かであってもよい。
【０００９】
前記目的地に関する情報は、前記目的地の位置情報であり、前記条件は、現在の位置情報と前記目的地の位置情報とが一致したか否かであってもよい。
【００１０】
前記目的地に関する情報は、前記目的地への到着を知らせるためのアナウンス音声であり、前記条件は、前記ノイズの音声信号のうちのアナウンス音声と前記目的地への到着を知らせるためのアナウンス音声とが一致したか否かであってもよい。
【００１１】
前記制御部は、前記条件を満たしたときに、前記ノイズキャンセル用音声信号の前記再生部への供給を徐々に遮断するようにしてもよい。
【００１２】
前記収音部が収音して得たノイズの音声信号から、前記ノイズと音響的に合成することで当該ノイズをキャンセルするようにするための、前記生成部が生成したノイズキャンセル用音声信号とは異なる他のノイズキャンセル用音声信号を生成する第２の生成部を備え、前記制御部は、前記条件を満たしたときに、前記他のノイズキャンセル用音声信号が前記再生部へ供給されるように制御し、前記再生部は、供給された前記他のノイズキャンセル用音声信号を音響再生してもよい。
【００１３】
ノイズを収音するための収音部で収音して得たノイズの音声信号から、聴取対象の音声成分を強調したモニタ用音声信号を生成する第３の生成部を備え、前記制御部は、前記条件を満たしたときに、前記モニタ用音声信号が前記再生部へ供給されるように制御し、前記再生部は、供給された前記モニタ用音声信号を音響再生してもよい。
【００１４】
前記制御部は、前記条件を満たしたときに、記憶部に記憶された通知音声信号が前記再生部へ供給されるように制御し、前記再生部は、供給された前記通知音声信号を音響再生してもよい。
【００１５】
他の収音部を備え、前記収音部と前記他の収音部とを用いて指向性を形成してもよい。
【００１６】
さらに他の収音部を備え、当該収音部は、前記収音部と前記他の収音部とを通る軸と交わらない位置に設けられてもよい。
【００１７】
また、上記課題を解決するために、本発明の別の観点によれば、ノイズを収音するための収音部が収音して得たノイズの音声信号から、前記ノイズと音響的に合成することで当該ノイズをキャンセルするようにするためのノイズキャンセル用音声信号を生成する生成ステップと、前記ノイズキャンセル用音声信号を音響再生して前記ノイズと音響的に合成するようにする再生ステップと、ユーザにより入力された目的地に関する情報に基づいて、前記目的地へ到着したか否かを判断するための条件を設定する設定ステップと、前記条件を満たしたときに、前記ノイズキャンセル用音声信号が音響再生されないようにする制御ステップとを有する音声再生方法が提供される。
【００１８】
また、上記課題を解決するために、本発明の別の観点によれば、コンピュータを、ノイズを収音するための収音部と、前記収音部が収音して得たノイズの音声信号から、前記ノイズと音響的に合成することで当該ノイズをキャンセルするようにするためのノイズキャンセル用音声信号を生成する生成部と、前記ノイズキャンセル用音声信号を音響再生して前記ノイズと音響的に合成するようにする再生部と、ユーザにより入力された目的地に関する情報に基づいて、前記目的地へ到着したか否かを判断するための条件を設定する設定部と、前記条件を満たしたときに、前記ノイズキャンセル用音声信号の前記再生部への供給を遮断するようにする制御部ととして機能させるためのプログラムが提供される。
【発明の効果】
【００１９】
以上説明したように本発明によれば、ノイズキャンセリング機能がオンにされている場合において、乗り物に乗車中のユーザに対して、降車タイミングを把握させることができる。
【図面の簡単な説明】
【００２０】
【図１】本発明の第１の実施の形態に係る音声再生装置の構成を概略的に示す説明図である。
【図２】図１の音声再生装置が実行する音声再生処理のフローチャートである。
【図３】図２の音声再生処理を説明するための説明図である。
【図４】本発明の第２の実施の形態に係る音声再生装置の構成を概略的に示す説明図である。
【図５】図４の音声再生装置が実行する音声再生処理のフローチャートである。
【図６】図５の音声再生処理を説明するための説明図である。
【図７】図５の音声再生処理を説明するための説明図である。
【図８】本発明の第３の実施の形態に係る音声再生装置の構成を概略的に示す説明図である。
【図９】図８の音声再生装置が実行する第１の音声再生処理のフローチャートである。
【図１０】図８の音声再生装置が実行する第２の音声再生処理のフローチャートである。
【図１１】図１０の音声再生処理を説明するための説明図である。
【図１２】マイクロホンが収音するノイズを含む音声信号を説明するための説明図である。
【図１３】ヘッドホン装置に設けられるマイクロホンの配置を説明するための説明図である。
【図１４】本発明の第４の実施の形態に係る音声再生装置の構成を概略的に示す説明図である。
【図１５】図１４の音声再生装置が実行する音声再生処理のフローチャートである。
【図１６】本発明の第５の実施の形態に係る音声再生装置の構成を概略的に示す説明図である。
【図１７】本発明の第６の実施の形態に係る音声再生装置の構成を概略的に示す説明図である。
【図１８】本発明の第７の実施の形態に係る音声再生装置の構成を概略的に示す説明図である。
【図１９】本発明の第８の実施の形態に係る音声再生装置の構成を概略的に示す説明図である。
【図２０】本発明の第９の実施の形態に係る音声再生装置の構成を概略的に示す説明図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
なお、説明は以下の順序で行うものとする。
１．音声再生装置（第１の実施の形態）
２．音声再生処理（第１の実施の形態）
３．音声再生装置（第２の実施の形態）
４．音声再生処理（第２の実施の形態）
５．音声再生装置（第３の実施の形態）
６．第１の音声再生処理（第３の実施の形態）
７．第２の音声再生処理（第３の実施の形態）
８．音声再生装置（第４の実施の形態）
９．音声再生処理（第４の実施の形態）
１０．音声再生装置（第５の実施の形態）
１１．音声再生装置（第６の実施の形態）
１２．音声再生装置（第７の実施の形態）
１３．音声再生装置（第８の実施の形態）
１４．音声再生装置（第９の実施の形態）
【００２３】
［１．音声再生装置（第１の実施の形態）］
まず、本発明の第１の実施の形態に係る音声再生装置について説明する。図１は、本実施の形態に係る音声再生装置の構成を概略的に示す説明図である。
【００２４】
図１において、音声再生装置１００は、ノイズキャンセリング機能を搭載したヘッドホン装置、携帯型音楽プレーヤや携帯電話などである。音声再生装置１００は、マイクロホン１０２と、マイクアンプ１０４と、ノイズキャンセリング（ＮＣ：Ｎｏｉｓｅ  Ｃａｎｃｅｌｌｉｎｇ）用フィルタ回路１０６と、スイッチ回路１０８と、加算回路１１０と、ヘッドホンアンプ１１２と、ヘッドホンドライバ１１４とを備える。
【００２５】
マイクロホン１０２は、本発明の収音部の一例であり、ヘッドホン筐体（図示しない）の外側に設けられる。マイクロホン１０２は、収音したノイズを含む電気信号である音声信号をマイクアンプ１０４に供給する。マイクアンプ１０４は、マイクロホン１０２から供給された音声信号の増幅を行う。そして、マイクアンプ１０４は、増幅した音声信号をＮＣ用フィルタ回路１０６に供給する。
【００２６】
ＮＣ用フィルタ回路１０６は、本発明の生成部の一例であり、マイクアンプ１０４から供給された音声信号に対して適切なフィルタリング処理をしてノイズキャンセリング用音声信号を生成する。スイッチ回路１０８は、後述する制御部１２０によりオン／オフが制御される。なお、スイッチ回路１０８が制御部１２０によりオンにされると、音声再生装置１００において、ノイズキャンセリング機能がオンにされる。また、スイッチ回路１０８が制御部１２０によりオフにされると、音声再生装置１００において、ノイズキャンセル用音声信号の加算回路１１０への供給が遮断されて、ノイズキャンセリング機能がオフにされる。
【００２７】
加算回路１１０は、スイッチ回路１０８がオンにされている場合においてＮＣ用フィルタ回路１０６から供給されるノイズキャンセリング用音声信号と、後述する可変増幅回路１１８から供給される音楽信号とを加算して加算信号を生成する。そして、加算回路１１０は、生成した加算信号をヘッドホンアンプ１１２に供給する。
【００２８】
ヘッドホンアンプ１１２は、加算回路１１０から供給された加算信号の増幅を行う。そして、ヘッドホンアンプ１１２は、増幅した加算信号をヘッドホンドライバ１１４に供給する。ヘッドホンドライバ１１４は、ヘッドホン筐体（図示しない）の内側に設けられる。ヘッドホンドライバ１１４は、本発明の再生部の一例であり、ヘッドホンアンプ１１２から供給された電気信号である加算信号を音響再生する。
【００２９】
また、音声再生装置１００は、音声信号入力端１１６と、可変増幅回路１１８とを備える。音声信号入力端１１６は、例えば携帯型音楽プレーヤのヘッドホンジャックに差し込まれるヘッドホンプラグから構成される。可変増幅回路１１８は、音声信号入力端１１６を介して供給された、例えば音楽信号の増幅を行う。可変増幅回路１１８の増幅率は、変更可能である。そして、可変増幅回路１１８は、増幅した音楽信号を加算回路１１０に供給する。
【００３０】
また、音声再生装置１００は、制御部１２０と、操作部１２８と、時計部１３０とを備える。制御部１２０は、例えばスイッチ回路１０８のオン／オフを制御する。制御部１２０は、設定部１２２と、カウント部１２４と、通知制御部１２６とを備える。
【００３１】
設定部１２２は、例えばユーザが乗り物への乗車前に、操作部１２８を介して入力された目的地近辺に到着するまでの所要時間を乗り物への乗車時間として設定する。カウント部１２４は、時計部１３０から時間情報を取得することにより、時間のカウントを行う。通知制御部１２６は、例えば目的地への到着直前に、ユーザに対して目的地近辺への到着を通知する。例えば、通知制御部１２６は、スイッチ回路１０８をオンからオフにして、音声再生装置１００のノイズキャンセリング機能をオンからオフにすることにより、ユーザに対して目的地近辺への到着を通知する。
【００３２】
操作部１２８は、ユーザによる操作入力を受け付ける。時計部１３０は、例えばクロックで構成される。
【００３３】
また、音声再生装置１００は、センサ部１３２を備える。センサ部１３２は、例えば加速度計で構成される。センサ部１３２は、加速度情報を制御部１２０に送信可能である。
【００３４】
また、音声再生装置１００は、通信部１３４を備える。通信部１３４は、通信網１３４に接続されたサーバ１３８に接続可能である。例えば、サーバ１３８は、経路検索サービスを提供するサーバである。
【００３５】
ところで、音声再生装置１００におけるノイズキャンセリング機能の性能向上に伴い、例えば、電車やバスなど（以下、「乗り物」という。）に乗車中のユーザが音声再生装置１００におけるノイズキャンセリング機能をオンにしている場合、周囲のノイズが低減されていることにより、車内アナウンスを聞き逃したり、快適な睡眠に陥ってしまって降車すべき駅やバス停など（以下、「目的地」という。）を通り過ぎてしまうことがある。
【００３６】
そこで、本実施の形態に係る音声再生装置１００は、後述する図２の音声再生処理を実行することにより、ノイズキャンセリング機能がオンにされている場合において、乗り物に乗車中のユーザに対して、降車タイミングを把握させることができる。
【００３７】
［２．音声再生処理（第１の実施の形態）］
次に、図１の音声再生装置１００が実行する音声再生処理について説明する。図２は、図１の音声再生装置１００が実行する音声再生処理のフローチャートである。
【００３８】
図２において、まず、音声再生装置１００のユーザにより操作部１２８を介して音声再生装置１００のノイズキャンセリング機能をオンにするための操作が行われると、制御部１２０は、スイッチ回路１０８をオンにして、音声再生装置１００のノイズキャンセリング機能をオンにする（ステップＳ１０２）。
【００３９】
次いで、図３に示すように、例えば乗り物への乗車前に、ユーザにより操作部１２８を介して目的地近辺に到着するまでの所要時間が入力されると、設定部１２２は、入力された時間を乗車時間として設定する（ステップＳ１０４）。目的地近辺に到着するまでの所要時間は、本発明の目的地に関する情報の一例である。
【００４０】
次いで、カウント部１２４は、時計部１３０から時間情報を取得して、カウントを開始する（ステップＳ１０６）。
【００４１】
次いで、通知制御部１２６は、カウント部１２４によるカウント結果に基づいて、ステップＳ１０４で設定された乗車時間が経過したか否かを判別する（ステップＳ１０８）。
【００４２】
ステップＳ１０８の判別の結果、ステップＳ１０４で設定された乗車時間が経過していないときは（ステップＳ１０８でＮＯ）、ステップＳ１０４で設定された乗車時間が経過するまで、ステップＳ１０８の処理を繰り返す。
【００４３】
ステップＳ１０８の判別の結果、ステップＳ１０４で設定された乗車時間が経過したときは（ステップＳ１０８でＹＥＳ）、通知制御部１２６は、図３に示すように、例えば目的地への到着直前に、ユーザに対して目的地近辺への到着を通知するために、スイッチ回路１０８をオフにして、音声再生装置１００のノイズキャンセリング機能をオフにして（ステップＳ１１０）、本処理を終了する。
【００４４】
図２の音声再生処理によれば、ユーザによりノイズキャンセリング機能がオンにされて、ユーザにより入力された目的地近辺に到着するまでの所要時間が経過したときに、ノイズキャンセリング機能がオフにされる。音声再生装置１００において、ノイズキャンセリング機能がオンからオフにされると、ユーザの音楽聴取環境が変化するため、ユーザは音楽聴取環境の変化によって目的地近辺に到着したことを把握することができる。また、ノイズキャンセリング機能がオフにされると、周囲のノイズが低減されないため、ユーザは車内アナウンスを聞き逃すことがなく、目的地に到着したことを把握することができる。また、ノイズキャンセリング機能がオフにされると、周囲のノイズによってユーザの睡眠が阻害されるため、ユーザは目を覚ますことができ、目的地を通り過ぎてしまうことがない。
【００４５】
以上により、図２の音声再生処理によれば、ノイズキャンセリング機能がオンにされている場合において、乗り物に乗車中のユーザに対して、降車タイミングを把握させることができる。
【００４６】
また、図２の音声再生処理では、ステップＳ１０４で設定された乗車時間が経過したときに、音声再生装置１００のノイズキャンセリング機能をオフにして、ユーザに対して目的地近辺への到着を通知していたが、通知制御部１２６は、センサ部１３２から加速度情報を取得して、その加速度情報をさらに用いて目的地近辺への到着を通知してもよい。例えば、通知制御部１２６は、ステップＳ１０４で設定された乗車時間近辺において、乗り物が減速動作をする際に、ユーザに対して目的地近辺への到着を通知してもよい。これは、乗り物が目的地に停車する際には、必ず減速動作が必要なことを利用したものである。
【００４７】
また、図２の音声再生処理では、ステップＳ１０４においてユーザにより目的地近辺に到着するまでの所要時間が入力されたが、ユーザが目的地のみを入力して、設定部１２２は、通信部１３４を介して通信網１３６に接続されたサーバ１３８から、入力された目的地近辺に到着するまでの所要時間を取得して、取得した時間を乗車時間として設定してもよい。また、サーバ１３８が、時刻表連動型の経路探索サービスを提供する場合は、制御部１２０は、目的地近辺に到着する時刻を取得することができるため、現在の時刻と目的地近辺に到着する時刻とに基づいて、スイッチ回路１０８のオン／オフを制御してもよい。
【００４８】
［３．音声再生装置（第２の実施の形態）］
次に、本発明の第２の実施の形態に係る音声再生装置について説明する。図４は、本実施の形態に係る音声再生装置の構成を概略的に示す説明図である。
【００４９】
図４において、音声再生装置２００は、マイクロホン２０２と、マイクアンプ２０４と、ノイズキャンセリング（ＮＣ）用フィルタ回路２０６と、スイッチ回路２０８と、加算回路２１０と、ヘッドホンアンプ２１２と、ヘッドホンドライバ２１４とを備える。これらは、上述した第１の実施の形態における、マイクロホン１０２、マイクアンプ１０４、ノイズキャンセリング（ＮＣ）用フィルタ回路１０６、スイッチ回路１０８、加算回路１１０、ヘッドホンアンプ１１２、ヘッドホンドライバ１１４と同様の機能構成を有するため、これらの説明を省略する。
【００５０】
また、音声再生装置２００は、音声信号入力端２１６と、可変増幅回路２１８とを備える。これらも、上述した第１の実施の形態における、音声信号入力端１１６、可変増幅回路１１８と同様の機能構成を有するため、これらの説明も省略する。
【００５１】
また、音声再生装置２００は、制御部２２０と、操作部２２６と、測位部２２８とを備える。制御部２２０は、例えばスイッチ回路２０８のオン／オフを制御する。制御部２２０は、設定部２２２と、通知制御部２２４とを備える。
【００５２】
設定部２２２は、ユーザにより操作部２２６を介して入力された目的地の近辺の位置情報を目的地近辺の位置情報として設定する。通知制御部２２４は、例えば目的地への到着直前に、ユーザに対して目的地近辺への到着を通知する。例えば、通知制御部２２４は、スイッチ回路２０８をオンからオフにして、音声再生装置２００のノイズキャンセリング機能をオンからオフにすることにより、ユーザに対して目的地近辺への到着を通知する。
【００５３】
操作部２２６は、ユーザによる操作入力を受け付ける。測位部２２８は、例えばＧＰＳ（Ｇｌｏｂａｌ  Ｐｏｓｉｔｉｏｎｉｎｇ  Ｓｙｓｔｅｍ）を利用して、音声再生装置２００の測位を行う。測位部２２８は、音声再生装置２００の現在位置の位置情報を制御部２２０に送信可能である。
【００５４】
本実施の形態に係る音声再生装置２００は、後述する図５の音声再生処理を実行することにより、ノイズキャンセリング機能がオンにされている場合において、乗り物に乗車中のユーザに対して、降車タイミングを把握させることができる。
【００５５】
［４．音声再生処理（第２の実施の形態）］
次に、図４の音声再生装置２００が実行する音声再生処理について説明する。図５は、図４の音声再生装置２００が実行する音声再生処理のフローチャートである。
【００５６】
図５において、まず、音声再生装置２００のユーザにより操作部２２６を介して音声再生装置２００のノイズキャンセリング機能をオンにするための操作が行われると、制御部２２０は、スイッチ回路２０８をオンにして、音声再生装置２００のノイズキャンセリング機能をオンにする（ステップＳ２０２）。
【００５７】
次いで、図６に示すように、ユーザにより操作部２２６を介して目的地が入力されると、設定部２２２は、入力された目的地の近辺の位置情報を目的地近辺の位置情報として設定する（ステップＳ２０４）。次いで、測位部２２８は、音声再生装置２００の測位を開始する（ステップＳ２０６）。目的地の近辺の位置情報は、本発明の目的地に関する情報の一例である。
【００５８】
次いで、通知制御部２２４は、測位部２２８から音声再生装置２００の現在の位置情報を取得して、取得した現在の位置情報とステップＳ２０４で設定された目的地近辺の位置情報とを比較することにより、目的地近辺に到着したか否かを判別する（ステップＳ２０８）。
【００５９】
ステップＳ２０８の判別の結果、目的地近辺に到着していないときは（ステップＳ２０８でＮＯ）、目的地近辺に到着するまで、ステップＳ２０８の処理を繰り返す。
【００６０】
ステップＳ２０８の判別の結果、目的地近辺に到着したときは（ステップＳ２０８でＹＥＳ）、通知制御部２２４は、図６に示すように、例えば目的地への到着直前に、ユーザに対して目的地近辺への到着を通知するために、スイッチ回路２０８をオフにして、音声再生装置２００のノイズキャンセリング機能をオフにして（ステップＳ２１０）、本処理を終了する。
【００６１】
図５の音声再生処理によれば、ユーザによりノイズキャンセリング機能がオンにされて、ユーザにより入力された目的地の近辺に到着したときに、ノイズキャンセリング機能がオフにされるので、上述した図２の音声再生処理と同様の効果を奏することができる。さらに、図５の音声再生処理では、乗り物が何かしらのトラブルによって遅延した場合においても、乗り物に乗車中のユーザに対して、降車タイミングを把握させることができる。
【００６２】
また、本実施の形態では、音声再生装置２００がヘッドホン装置単体で構成される場合には、図７に示すように、目的地において、ユーザが操作部２２６を介して現在の位置が目的地であることを入力して、設定部２２２は、測位部２２８から音声再生装置２００の現在の位置情報を取得して、取得した位置情報に基づいて、目的地近辺の位置情報を設定するのがよい。
【００６３】
［５．音声再生装置（第３の実施の形態）］
次に、本発明の第３の実施の形態に係る音声再生装置について説明する。図８は、本実施の形態に係る音声再生装置の構成を概略的に示す説明図である。
【００６４】
図８において、音声再生装置３００は、マイクロホン３０２と、マイクアンプ３０４と、ノイズキャンセリング（ＮＣ）用フィルタ回路３０６と、スイッチ回路３０８と、加算回路３１０と、ヘッドホンアンプ３１２と、ヘッドホンドライバ３１４とを備える。これらは、上述した第１の実施の形態における、マイクロホン１０２、マイクアンプ１０４、ノイズキャンセリング（ＮＣ）用フィルタ回路１０６、スイッチ回路１０８、加算回路１１０、ヘッドホンアンプ１１２、ヘッドホンドライバ１１４と同様の機能構成を有するため、これらの説明を省略する。
【００６５】
また、音声再生装置３００は、音声信号入力端３１６と、可変増幅回路３１８とを備える。これらも、上述した第１の実施の形態における、音声信号入力端１１６、可変増幅回路１１８と同様の機能構成を有するため、これらの説明も省略する。
【００６６】
また、音声再生装置３００は、制御部３２０と、操作部３３４と、記憶部３３６とを備える。制御部３２０は、例えばスイッチ回路３０８のオン／オフを制御する。制御部３２０は、設定部３２２と、音声方向判別部３２４と、音声判別部３２６と、ノイズ除去部３２８と、音声比較部３３０と、通知制御部３３２とを備える。
【００６７】
設定部３２２は、ユーザにより操作部３３４やＰＣなどを介して入力された目的地への到着を知らせるためのアナウンス音声を目的地のアナウンス音声として設定する。音声方向判別部３２４は、マイクアンプ３０４から供給された音声信号において、アナウンス音声とそれ以外の音声との音声方向を判別する。音声判別部３２６は、マイクアンプ３０４から供給された音声信号において、アナウンス音声とそれ以外の音声とを判別する。
【００６８】
ノイズ除去部３２８は、マイクアンプ３０４から供給された音声信号からアナウンス音声以外の音声を除去する。音声比較部３３０は、マイクアンプ３０４から供給された音声信号において、ノイズが除去された音声信号、すなわちアナウンス音声と、設定部３２２により設定された目的地のアナウンス音声とを比較する。通知制御部３３２は、例えば目的地への到着直前に、ユーザに対して目的地近辺への到着を通知する。例えば、通知制御部３３２は、スイッチ回路３０８をオンからオフにして、音声再生装置３００のノイズキャンセリング機能をオンからオフにすることにより、ユーザに対して目的地近辺への到着を通知する。
【００６９】
操作部３３４は、ユーザによる操作入力を受け付ける。記憶部３３６は、ユーザにより操作部３３４やＰＣなどを介して入力された目的地への到着を知らせるためのアナウンス音声や、後述するアナウンス音声の一致回数を記憶する。
【００７０】
本実施の形態に係る音声再生装置３００は、後述する図９の第１の音声再生処理、または図１０の第２の音声再生処理を実行することにより、ノイズキャンセリング機能がオンにされている場合において、乗り物に乗車中のユーザに対して、降車タイミングを把握させることができる。
【００７１】
［６．第１の音声再生処理（第３の実施の形態）］
次に、図８の音声再生装置３００が実行する第１の音声再生処理について説明する。図９は、図８の音声再生装置３００が実行する第１の音声再生処理のフローチャートである。
【００７２】
図９において、まず、音声再生装置３００のユーザにより操作部３３４を介して音声再生装置３００のノイズキャンセリング機能をオンにするための操作が行われると、制御部３２０は、スイッチ回路３０８をオンにして、音声再生装置３００のノイズキャンセリング機能をオンにする（ステップＳ３０２）。
【００７３】
次いで、図１１に示すように、例えば自宅やオフィスにおいて、ユーザにより操作部３３４やＰＣなどを介して目的地への到着を知らせるためのアナウンス音声が入力されると、設定部３２２は、入力されたアナウンス音声を目的地のアナウンス音声として設定する（ステップＳ３０４）。目的地への到着を知らせるためのアナウンス音声は、本発明の目的地に関する情報の一例である。
【００７４】
次いで、音声判別部３２６は、マイクアンプ３０４から供給された音声信号において、アナウンス音声とそれ以外の音声とを判別する（ステップＳ３０６）。
【００７５】
次いで、ノイズ除去部３２８は、マイクアンプ３０４から供給された音声信号からアナウンス音声以外の音声を除去する（ステップＳ３０８）。
【００７６】
次いで、音声比較部３３０は、ステップＳ３０８でノイズが除去された音声信号、すなわちアナウンス音声と、ステップＳ３０４で設定された目的地のアナウンス音声とを比較する（ステップＳ３１０）。
【００７７】
次いで、通知制御部３３２は、音声比較部３３０によるアナウンス音声の比較結果に基づいて、マイクアンプ３０４から供給された音声信号におけるアナウンス音声と、ステップＳ３０４で設定された目的地のアナウンス音声とが一致しているか否かを判別する（ステップＳ３１２）。
【００７８】
ステップＳ３１２の判別の結果、アナウンス音声が一致していないときは（ステップＳ３１２でＮＯ）、ステップＳ３０６の処理に戻る。
【００７９】
ステップＳ３１２の判別の結果、アナウンス音声が一致しているときは（ステップＳ３１２でＹＥＳ）、通常、目的地のアナウンス音声は、目的地への到着直前に流れるため、通知制御部３３２は、図１１に示すように、例えば目的地への到着直前に、ユーザに対して目的地近辺への到着を通知するために、スイッチ回路３０８をオフにして、音声再生装置３００のノイズキャンセリング機能をオフにして（ステップＳ３１４）、本処理を終了する。
【００８０】
図９の第１の音声再生処理によれば、ユーザによりノイズキャンセリング機能がオンにされて、目的地への到着を知らせるためのアナウンス音声が流れたときに、ノイズキャンセリング機能がオフにされるので、上述した図２の音声再生処理と同様の効果を奏することができる。
【００８１】
また、図９の第１の音声再生処理では、ステップＳ３０６の処理において、音声方向判別部３２４が、マイクアンプ３０４から供給された音声信号において、アナウンス音声とそれ以外の音声との音声方向を判別することにより、アナウンス音声とそれ以外の音声との判別精度を向上させてもよい。図１２に示すように、通常、アナウンス音声はヘッドホン装置の上方向から流れてくるため、ヘッドホン装置の左右のマイクロホン３０２を用いて指向性マイクロホンを形成することにより、上方向から流れてくるアナウンス音声の判別精度を向上させることができる。
【００８２】
さらに、図１３に示すように、ヘッドホン装置に、左右のマイクロホン３０２に加えて、１つまたは１つ以上のマイクロホンを設けることにより、上方向から流れてくるアナウンス音声の判別精度をさらに向上させてもよい。この場合、新たに設けるマイクロホンは、左右のマイクロホン３０２を通る軸と交わらない位置に設けるのがよい。
【００８３】
［７．第２の音声再生処理（第３の実施の形態）］
次に、図８の音声再生装置３００が実行する第２の音声再生処理について説明する。図１０は、図８の音声再生装置３００が実行する第２の音声再生処理のフローチャートである。
【００８４】
図１０において、まず、音声再生装置３００のユーザにより操作部３３４を介して音声再生装置３００のノイズキャンセリング機能をオンにするための操作が行われると、制御部３２０は、スイッチ回路３０８をオンにして、音声再生装置３００のノイズキャンセリング機能をオンにする（ステップＳ４０２）。
【００８５】
次いで、図１１に示すように、例えば自宅やオフィスにおいて、ユーザにより操作部３３４やＰＣなどを介して目的地への到着を知らせるためのアナウンス音声が入力されると、設定部３２２は、入力されたアナウンス音声を目的地のアナウンス音声として設定する（ステップＳ４０４）。
【００８６】
次いで、音声判別部３２６は、マイクアンプ３０４から供給された音声信号において、アナウンス音声とそれ以外の音声とを判別する（ステップＳ４０６）。
【００８７】
次いで、ノイズ除去部３２８は、マイクアンプ３０４から供給された音声信号からアナウンス音声以外の音声を除去する（ステップＳ４０８）。
【００８８】
次いで、音声比較部３３０は、ステップＳ４０８でノイズが除去された音声信号、すなわちアナウンス音声と、ステップＳ４０４で設定された目的地のアナウンス音声とを比較する（ステップＳ４１０）。
【００８９】
次いで、通知制御部３３２は、音声比較部３３０によるアナウンス音声の比較結果に基づいて、マイクアンプ３０４から供給された音声信号におけるアナウンス音声と、ステップＳ４０４で設定された目的地のアナウンス音声とが一致しているか否かを判別する（ステップＳ４１２）。
【００９０】
ステップＳ４１２の判別の結果、アナウンス音声が一致していないときは（ステップＳ３１２でＮＯ）、通知制御部３３２は、所定の時間が経過したか否かを判別する（ステップＳ４１４）。
【００９１】
ステップＳ４１４の判別の結果、所定の時間が経過していないときは（ステップＳ４１４でＮＯ）、ステップＳ４０６の処理に戻る。
【００９２】
ステップＳ４１４の判別の結果、所定の時間が経過したときは（ステップＳ４１４でＮＯ）、後述するステップＳ４２２の処理に進む。
【００９３】
ステップＳ４１２の判別の結果、アナウンス音声が一致しているときは（ステップＳ４１２でＹＥＳ）、通知制御部３３２は、アナウンス音声の一致回数が１回目か否かを判別する（ステップＳ４１６）。
【００９４】
ステップＳ４１６の判別の結果、アナウンス音声の一致回数が１回目であるときは（ステップＳ４１６でＹＥＳ）、通知制御部３３２は、記憶部３３６に一致回数を記憶させて（ステップＳ４１８）、ステップＳ４０６の処理に戻る。
【００９５】
ステップＳ４１６の判別の結果、アナウンス音声の一致回数が１回目でないとき、すなわちアナウンス音声の一致回数が２回目であるときは（ステップＳ４１６でＮＯ）、一般に、目的地のアナウンス音声は、目的地への到着直前に２回続けて流れるため、通知制御部３３２は、図１１に示すように、例えば目的地への到着直前に、ユーザに対して目的地近辺への到着を通知するために、スイッチ回路３０８をオフにして、音声再生装置３００のノイズキャンセリング機能をオフにする（ステップＳ４２０）。
【００９６】
続くステップＳ４２２では、通知制御部３３２は、記憶部３３６に記憶されている一致回数をクリアして（ステップＳ４２２）、本処理を終了する。
【００９７】
図１０の第２の音声再生処理によれば、ユーザによりノイズキャンセリング機能がオンにされて、目的地への到着を知らせるためのアナウンス音声が２回続けて流れたときに、ノイズキャンセリング機能がオフにされるので、上述した図２の音声再生処理と同様の効果を奏することができる。
【００９８】
［８．音声再生装置（第４の実施の形態）］
次に、本発明の第４の実施の形態に係る音声再生装置について説明する。図１４は、本実施の形態に係る音声再生装置の構成を概略的に示す説明図である。
【００９９】
図１４において、音声再生装置４００は、マイクロホン４０２と、マイクアンプ４０４と、ノイズキャンセリング（ＮＣ）用フィルタ回路４０６と、可変増幅回路４０８と、加算回路４１０と、ヘッドホンアンプ４１２と、ヘッドホンドライバ４１４とを備える。マイクロホン４０２、マイクアンプ４０４、ノイズキャンセリング（ＮＣ）用フィルタ回路４０６、加算回路４１０、ヘッドホンアンプ４１２、ヘッドホンドライバ４１４は、上述した第１の実施の形態における、マイクロホン１０２、マイクアンプ１０４、ノイズキャンセリング（ＮＣ）用フィルタ回路１０６、加算回路１１０、ヘッドホンアンプ１１２、ヘッドホンドライバ１１４と同様の機能構成を有するため、これらの説明を省略する。
【０１００】
可変増幅回路４０８は、ＮＣ用フィルタ回路４０６から供給されるノイズキャンセリング用音声信号の増幅を行う。可変増幅回路４０８の増幅率は、変更可能であり、後述する制御部により増幅率が制御される。そして、可変増幅回路４０８は、増幅したノイズキャンセリング用音声信号を加算回路４１０に供給する。
【０１０１】
また、音声再生装置４００は、音声信号入力端４１８と、可変増幅回路４２０と、加算回路４２２と、メモリ４２４とを備える。音声信号入力端４１８は、上述した第１の実施の形態における、音声信号入力端１１６と同様の機能構成を有するため、この説明は省略する。
【０１０２】
可変増幅回路４２０は、音声信号入力端４１８を介して供給された、例えば音楽信号の増幅を行う。可変増幅回路４２０の増幅率は、変更可能であり、後述する制御部により増幅率が制御される。そして、可変増幅回路４２０は、増幅した音楽信号を加算回路４２２に供給する。
【０１０３】
加算回路４２２は、可変増幅回路４２０から供給された音楽信号と、後述するメモリ４２４から供給された通知音声信号とを加算して加算信号を生成する。そして、加算回路４２２は、生成した加算信号を加算回路４１０に供給する。
【０１０４】
メモリ４２４は、通知音声信号を記憶する。通知音声信号としては、ビープ音や他の音楽信号、俳優、歌手、声優などの音声データが挙げられる。そして、メモリ４２４は、後述する制御部の制御により通知音声信号を加算回路４２２に供給する。
【０１０５】
また、音声再生装置４００は、上述した第１の実施の形態、第２の実施の形態、または第３の実施の形態における制御部と基本的に同様の機能構成を有する制御部を備える。本実施の形態における音声再生装置４００が備える制御部は、ユーザに対する目的地近辺への到着の通知のために、可変増幅回路４０８，４２０およびメモリ４２４を制御する点が、上述した第１の実施の形態、第２の実施の形態、または第３の実施の形態における制御部と異なる。以下、音声再生装置４００が、上述した第１の実施の形態における制御部１２０など、すなわち制御部１２０、操作部１２８および時計部１３０などを備える場合について説明する。
【０１０６】
［９．音声再生処理（第４の実施の形態）］
次に、図１４の音声再生装置４００が実行する音声再生処理について説明する。図１５は、図１４の音声再生装置４００が実行する音声再生処理のフローチャートである。
【０１０７】
図１５において、まず、音声再生装置４００のユーザにより操作部１２８を介して音声再生装置４００のノイズキャンセリング機能をオンにするための操作が行われると、制御部１２０は、可変増幅回路４０８の増幅率を制御して、音声再生装置４００のノイズキャンセリング機能をオンにする（ステップＳ５０２）。
【０１０８】
次いで、設定部１２２は、ユーザにより入力された目的地近辺への到着の通知のための条件を設定する（ステップＳ５０４）。例えば、ステップＳ５０４では、ユーザにより操作部１２８を介して目的地近辺に到着するまでの所要時間が入力されると、設定部１２２は、入力された時間を乗車時間として設定する。
【０１０９】
次いで、通知制御部１２６は、ステップＳ５０４で設定部１２２により設定された通知条件を満たすと（ステップＳ５０６）、処理状態を［準備］に更新する（ステップＳ５０８）。
【０１１０】
次いで、通知制御部１２６は、ユーザにより操作部１２８を介した、後述する通知音声を停止するための割り込み操作があるか否かを判別する（ステップＳ５１０）。
【０１１１】
ステップＳ５１０の判別の結果、ユーザによる割り込み操作があるときは（ステップＳ５１０でＹＥＳ）、通知制御部１２６は、メモリ４２４からの通知音声信号の供給を停止する（ステップＳ５１２）。
【０１１２】
次いで、通知制御部１２６は、処理状態を［終了］に更新して（ステップＳ５１４）、ステップＳ５１０の処理に戻る。
【０１１３】
ステップＳ５１０の判別の結果、ユーザによる割り込み操作がないときは（ステップＳ５１０でＮＯ）、通知制御部１２６は、処理状態を判別する（ステップＳ５１６）。
【０１１４】
ステップＳ５１６の判別の結果、処理状態が［準備］であるときは、通知制御部１２６は、可変増幅回路４２０の増幅率を制御して、音楽信号の音量をダウンする、もしくはミュートする（ステップＳ５１８）。なお、ステップＳ５１８では、音楽信号がフェードアウトするように、音楽信号の音量のダウン制御を行ってもよい。
【０１１５】
次いで、通知制御部１２６は、ステップＳ５１８の準備処理が完了したか否かを判別する（ステップＳ５２０）。
【０１１６】
ステップＳ５２０の判別の結果、ステップＳ５１８の準備処理が完了していないときは（ステップＳ５２０でＮＯ）、ステップＳ５１０の処理に戻る。
【０１１７】
ステップＳ５２０の判別の結果、ステップＳ５１８の準備処理が完了したときは（ステップＳ５２０でＹＥＳ）、通知制御部１２６は、処理状態を［通知］に更新して（ステップＳ５２２）、ステップＳ５１０の処理に戻る。
【０１１８】
ステップＳ５１６の判別の結果、処理状態が［通知］であるときは、通知制御部１２６は、メモリ４２４を制御して、メモリ４２４に記憶されている通知音声を加算回路４２２に供給して、通知音声の再生を行う（ステップＳ５２４）。
【０１１９】
次いで、通知制御部１２６は、ステップＳ５２４の通知処理が完了したか否かを判別する（ステップＳ５２６）。
【０１２０】
ステップＳ５２６の判別の結果、ステップＳ５２４の通知処理が完了していないときは（ステップＳ５２６でＮＯ）、ステップＳ５１０の処理に戻る。
【０１２１】
ステップＳ５２６の判別の結果、ステップＳ５２４の通知処理が完了したときは（ステップＳ５２６でＹＥＳ）、通知制御部１２６は、処理状態を［終了］に更新して（ステップＳ５２８）、ステップＳ５１０の処理に戻る。
【０１２２】
ステップＳ５１６の判別の結果、処理状態が［終了］であるときは、通知制御部１２６は、可変増幅回路４２０の増幅率を制御して、音楽信号の音量をアップする（ステップＳ５３０）。
【０１２３】
次いで、通知制御部１２６は、ステップＳ５３０の終了処理が完了したか否かを判別する（ステップＳ５３２）。
【０１２４】
ステップＳ５３２の判別の結果、ステップＳ５３０の終了処理が完了していないときは（ステップＳ５３２でＮＯ）、ステップＳ５１０の処理に戻る。
【０１２５】
ステップＳ５３２の判別の結果、ステップＳ５３０の終了処理が完了したときは（ステップＳ５３２でＹＥＳ）、通知制御部１２６は、処理状態を［待機］に更新して（ステップＳ５３４）、本処理を終了する。
【０１２６】
図１５の音声再生処理によれば、ユーザによりノイズキャンセリング機能がオンにされて、ユーザにより入力された目的地近辺への到着の通知のための条件を満たしたときに、通知音声が再生される。音声再生装置４００において、通知音声が再生されると、ユーザは再生された通知音声によって目的地近辺に到着したことを把握することができる。また、通知音声が再生されると、再生された通知音声によってユーザの睡眠が阻害されるため、ユーザは目を覚ますことができ、目的地を通りすごしてしまうことがない。
【０１２７】
以上により、図１５の音声再生装置によれば、ノイズキャンセリング機能がオンにされている場合において、乗り物に乗車中のユーザに対して、降車タイミングを把握させることができる。
【０１２８】
また、図１５の音声再生処理では、上述したようにノイズキャンセリング機能をオフにしてもよい。さらに、可変増幅回路４０８を制御して、ノイズキャンセル用音声信号の加算回路４１０への供給を徐々に遮断するようにしてもよい。
【０１２９】
［１０．音声再生装置（第５の実施の形態）］
次に、本発明の第５の実施の形態に係る音声再生装置について説明する。図１６は、本実施の形態に係る音声再生装置の構成を概略的に示す説明図である。
【０１３０】
図１６において、音声再生装置５００は、マイクロホン５０２と、マイクアンプ５０４と、スイッチ回路５０６と、ノイズキャンセリング（ＮＣ）用フィルタ回路５０８と、通知時ノイズキャンセリング（ＮＣ）用フィルタ回路５１０と、加算回路５１２と、可変増幅回路５１４と、加算回路５１６と、ヘッドホンアンプ５１８と、ヘッドホンドライバ５２０とを備える。マイクロホン５０２、マイクアンプ５０４、ノイズキャンセリング（ＮＣ）用フィルタ回路５０８、加算回路５１６、ヘッドホンアンプ５１８、ヘッドホンドライバ５２０は、上述した第１の実施の形態における、マイクロホン１０２、マイクアンプ１０４、ノイズキャンセリング（ＮＣ）用フィルタ回路１０６、加算回路１１０、ヘッドホンアンプ１１２、ヘッドホンドライバ１１４と同様の機能構成を有するため、これらの説明を省略する。
【０１３１】
スイッチ回路５０６は、後述する制御部によりマイクアンプ５０４とＮＣ用フィルタ回路５０８との接続と、マイクアンプ５０４と通知時ＮＣ用フィルタ回路５１０との接続との切り換えが制御される。通知時ＮＣ用フィルタ回路５１０は、本発明の第２の生成部の一例であり、マイクアンプ５０４から供給された音声信号に対して適切なフィルタリング処理をして、ＮＣ用フィルタ回路５０８が生成したノイズキャンセリング用音声信号とは異なるノイズキャンセリング用音声信号を生成する。そして、通知時ＮＣ用フィルタ回路５１０は、生成したノイズキャンセリング用音声信号を加算回路５１２に供給する。
【０１３２】
加算回路５１２は、ＮＣ用フィルタ回路５０８から供給されるノイズキャンセリング用音声信号と、通知時ＮＣ用フィルタ回路５１０から供給されるノイズキャンセリング用音声信号とを加算して加算信号を生成する。そして、加算回路５１２は、生成した加算信号を可変増幅回路５１４に供給する。可変増幅回路５１４は、加算回路５１２から供給される加算信号の増幅を行う。可変増幅回路５１４の増幅率は、変更可能であり、後述する制御部により増幅率が制御される。そして、可変増幅回路５１４は、増幅した加算信号を加算回路５１６に供給する。
【０１３３】
また、音声再生装置５００は、音声信号入力端５２２と、可変増幅回路５２４とを備える。これらも、上述した第１の実施の形態における、音声信号入力端１１６、可変増幅回路１１８と同様の機能構成を有するため、これらの説明も省略する。
【０１３４】
また、音声再生装置５００は、上述した第１の実施の形態、第２の実施の形態、または第３の実施の形態における制御部と基本的に同様の機能構成を有する制御部を備える。本実施の形態における音声再生装置５００が備える制御部は、ユーザに対する目的地近辺への到着の通知のために、スイッチ回路５０６を主に制御する点が、上述した第１の実施の形態、第２の実施の形態、または第３の実施の形態における制御部と異なる。
【０１３５】
本実施の形態における音声再生装置５００の制御部は、ユーザに対する目的地近辺への到着の通知のために、スイッチ回路５０６を制御する。例えば、制御部は、ユーザに対して目的地近辺への到着を通知するために、スイッチ回路５０６を制御して、マイクアンプ５０４とＮＣ用フィルタ回路５０８との接続から、マイクアンプ５０４と通知時ＮＣ用フィルタ回路５１０との接続に切り換える。これにより、加算回路５１６において、異なるノイズキャンセリング用音声信号が音楽信号に加算されるため、ユーザの音楽聴取環境が変化する。このため、ユーザは音楽聴取環境の変化によって目的地近辺に到着したことを把握することができる。
【０１３６】
［１１．音声再生装置（第６の実施の形態）］
次に、本発明の第６の実施の形態に係る音声再生装置について説明する。図１７は、本実施の形態に係る音声再生装置の構成を概略的に示す説明図である。
【０１３７】
図１７において、音声再生装置６００は、マイクロホン６０２と、マイクアンプ６０４と、ノイズキャンセリング（ＮＣ）用フィルタ回路６０６と、可変増幅回路６０８と、通知時ノイズキャンセリング（ＮＣ）用フィルタ回路６１０と、可変増幅回路６１２と、加算回路６１４と、加算回路６１６と、ヘッドホンアンプ６１８と、ヘッドホンドライバ６２０とを備える。マイクロホン６０２、マイクアンプ６０４、ノイズキャンセリング（ＮＣ）用フィルタ回路６０６、加算回路６１６、ヘッドホンアンプ６１８、ヘッドホンドライバ６２０は、上述した第１の実施の形態における、マイクロホン１０２、マイクアンプ１０４、ノイズキャンセリング（ＮＣ）用フィルタ回路１０６、加算回路１１０、ヘッドホンアンプ１１２、ヘッドホンドライバ１１４と同様の機能構成を有するため、これらの説明を省略する。
【０１３８】
可変増幅回路６０８は、ＮＣ用フィルタ回路６０６から供給されるノイズキャンセリング用音声信号の増幅を行う。可変増幅回路６０８の増幅率は、変更可能であり、後述する制御部により増幅率が制御される。そして、可変増幅回路６０８は、増幅したノイズキャンセリング用音声信号を加算回路６１４に供給する。通知時ＮＣ用フィルタ回路６１０は、マイクアンプ６０４から供給された音声信号に対して適切なフィルタリング処理をして、ＮＣ用フィルタ回路６１０が生成したノイズキャンセリング用音声信号とは異なるノイズキャンセリング用音声信号を生成する。そして、通知時ＮＣ用フィルタ回路６１０は、生成したノイズキャンセリング用音声信号を可変増幅回路６１２に供給する。
【０１３９】
可変増幅回路６１２は、通知時ＮＣ用フィルタ回路６１０から供給されるノイズキャンセリング用音声信号の増幅を行う。可変増幅回路６１２の増幅率は、変更可能であり、後述する制御部により増幅率が制御される。そして、可変増幅回路６１２は、増幅したノイズキャンセリング用音声信号を加算回路６１４に供給する。加算回路６１４は、可変増幅回路６０８から供給されるノイズキャンセリング用音声信号と、可変増幅回路６１２から供給されるノイズキャンセリング用音声信号とを加算して加算信号を生成する。そして、加算回路６１４は、生成した加算信号を加算回路６１６に供給する。
【０１４０】
また、音声再生装置６００は、音声信号入力端６２２と、可変増幅回路６２４とを備える。これらも、上述した第１の実施の形態における、音声信号入力端１１６、可変増幅回路１１８と同様の機能構成を有するため、これらの説明も省略する。
【０１４１】
また、音声再生装置６００は、上述した第１の実施の形態、第２の実施の形態、または第３の実施の形態における制御部と基本的に同様の機能構成を有する制御部を備える。本実施の形態における音声再生装置６００が備える制御部は、ユーザに対する目的地近辺への到着の通知のために、可変増幅回路６０８，６１２の増幅率を主に制御する点が、上述した第１の実施の形態、第２の実施の形態、または第３の実施の形態における制御部と異なる。
【０１４２】
本実施の形態における音声再生装置６００の制御部は、ユーザに対する目的地近辺への到着の通知のために、可変増幅回路６０８，６１２の増幅率を制御する。例えば、制御部は、ユーザに対して目的地近辺への到着を通知するために、可変増幅回路６０８，６１２の増幅率を制御して、ＮＣ用フィルタ回路６０６から供給されるノイズキャンセリング用音声信号の増幅率と、通知時ＮＣ用フィルタ回路６１０から供給されるノイズキャンセリング用音声信号の増幅率とを変更する。これにより、加算回路６１６において、異なるノイズキャンセリング用音声信号が音楽信号に加算されるため、ユーザの音楽聴取環境が変化する。このため、ユーザは音楽聴取環境の変化によって目的地近辺に到着したことを把握することができる。
【０１４３】
［１２．音声再生装置（第７の実施の形態）］
次に、本発明の第７の実施の形態に係る音声再生装置について説明する。図１８は、本実施の形態に係る音声再生装置の構成を概略的に示す説明図である。
【０１４４】
図１８において、音声再生装置７００は、マイクロホン７０２と、マイクアンプ７０４と、ノイズキャンセリング（ＮＣ）用フィルタ回路７０６と、モニタ用フィルタ回路７０８と、スイッチ回路７１０と、加算回路７１２と、ヘッドホンアンプ７１４と、ヘッドホンドライバ７１６とを備える。マイクロホン７０２、マイクアンプ７０４、ノイズキャンセリング（ＮＣ）用フィルタ回路７０６、加算回路７１２、ヘッドホンアンプ７１４、ヘッドホンドライバ７１６は、上述した第１の実施の形態における、マイクロホン１０２、マイクアンプ１０４、ノイズキャンセリング（ＮＣ）用フィルタ回路１０６、加算回路１１０、ヘッドホンアンプ１１２、ヘッドホンドライバ１１４と同様の機能構成を有するため、これらの説明を省略する。
【０１４５】
モニタ用フィルタ回路７０８は、本発明の第３の生成部の一例であり、マイクアンプ７０４から供給された音声信号に対して適切なフィルタリング処理をして、マイクアンプ７０４から供給された音声信号を強調したモニタ用音声信号を生成する。そして、モニタ用フィルタ回路７０８は、生成したモニタ用音声信号をスイッチ回路７１０に供給する。なお、モニタ用フィルタ回路７０８は、マイクアンプ７０４から供給された音声信号において、アナウンス音声成分のみを強調するのがよい。スイッチ回路７１０は、後述する制御部によりＮＣ用フィルタ回路７０６と加算回路７１２との接続と、モニタ用フィルタ回路７０８と加算回路７１２との接続との切り換えが制御される。
【０１４６】
また、音声再生装置７００は、音声信号入力端７１８と、可変増幅回路７２０とを備える。これらも、上述した第１の実施の形態における、音声信号入力端１１６、可変増幅回路１１８と同様の機能構成を有するため、これらの説明も省略する。
【０１４７】
また、音声再生装置７００は、上述した第１の実施の形態、第２の実施の形態、または第３の実施の形態における制御部と基本的に同様の機能構成を有する制御部を備える。本実施の形態における音声再生装置７００が備える制御部は、ユーザに対する目的地近辺への到着の通知のために、スイッチ回路７１０を主に制御する点が、上述した第１の実施の形態、第２の実施の形態、または第３の実施の形態における制御部と異なる。
【０１４８】
本実施の形態における音声再生装置７００の制御部は、ユーザに対する目的地近辺への到着の通知のために、スイッチ回路７１０を制御する。例えば、制御部は、ユーザに対して目的地近辺への到着を通知するために、スイッチ回路７１０を制御して、ＮＣ用フィルタ回路７０６と加算回路７１２との接続から、モニタ用フィルタ回路７０８と加算回路７１２との接続に切り換える。これにより、加算回路７１２において、モニタ用音声信号が音楽信号に加算されるため、ユーザの音楽聴取環境が変化する。このため、ユーザは音楽聴取環境の変化によって目的地近辺に到着したことを把握することができる。また、モニタ用音声信号が音楽信号に加算されて加算信号が再生されると、周囲のノイズが強調されてユーザは車内アナウンスを聞き逃すことがなく、目的地に到着したことを把握することができる。また、モニタ用音声信号が音楽信号に加算されて加算信号が再生されると、強調された周囲のノイズによってユーザの睡眠が阻害されるため、ユーザは目を覚ますことができ、目的地を通り過ぎてしまうことがない。
【０１４９】
［１３．音声再生装置（第８の実施の形態）］
次に、本発明の第８の実施の形態に係る音声再生装置について説明する。図１９は、本実施の形態に係る音声再生装置の構成を概略的に示す説明図である。
【０１５０】
図１９において、音声再生装置８００は、マイクロホン８０２と、マイクアンプ８０４と、ノイズキャンセリング（ＮＣ）用フィルタ回路８０６と、可変増幅回路８０８と、モニタ用フィルタ回路８１０と、可変増幅回路８１２と、加算回路８１４と、加算回路８１６と、ヘッドホンアンプ８１８と、ヘッドホンドライバ８２０とを備える。マイクロホン８０２、マイクアンプ８０４、ノイズキャンセリング（ＮＣ）用フィルタ回路８０６、加算回路８１６、ヘッドホンアンプ８１８、ヘッドホンドライバ８２０は、上述した第１の実施の形態における、マイクロホン１０２、マイクアンプ１０４、ノイズキャンセリング（ＮＣ）用フィルタ回路１０６、加算回路１１０、ヘッドホンアンプ１１２、ヘッドホンドライバ１１４と同様の機能構成を有するため、これらの説明を省略する。
【０１５１】
可変増幅回路８０８は、ＮＣ用フィルタ回路８０６から供給されるノイズキャンセリング用音声信号の増幅を行う。可変増幅回路８０８の増幅率は、変更可能であり、後述する制御部により増幅率が制御される。そして、可変増幅回路８０８は、増幅したノイズキャンセリング用音声信号を加算回路８１４に供給する。モニタ用フィルタ回路８１０は、マイクアンプ８０４から供給された音声信号に対して適切なフィルタリング処理をして、マイクアンプ８０４から供給された音声信号を強調したモニタ用音声信号を生成する。そして、モニタ用フィルタ回路８１０は、生成したモニタ用音声信号を可変増幅回路８１２に供給する。なお、モニタ用フィルタ回路８１０は、マイクアンプ８０４から供給された音声信号において、アナウンス音声のみを強調するのがよい。
【０１５２】
可変増幅回路８１２は、モニタ用フィルタ回路８１０から供給されるモニタ用音声信号の増幅を行う。可変増幅回路８１２の増幅率は、変更可能であり、後述する制御部により増幅率が制御される。そして、可変増幅回路８１２は、増幅したモニタ用音声信号を加算回路８１４に供給する。加算回路８１４は、可変増幅回路８０８から供給されたノイズキャンセリング用音声信号と、可変増幅回路８１２から供給されたモニタ用音声信号とを加算して加算信号を生成する。そして、加算回路８１４は、生成した加算信号を加算回路８１６に供給する。
【０１５３】
また、音声再生装置８００は、音声信号入力端８２２と、可変増幅回路８２４とを備える。これらも、上述した第１の実施の形態における、音声信号入力端１１６、可変増幅回路１１８と同様の機能構成を有するため、これらの説明も省略する。
【０１５４】
また、音声再生装置８００は、上述した第１の実施の形態、第２の実施の形態、または第３の実施の形態における制御部と基本的に同様の機能構成を有する制御部を備える。本実施の形態における音声再生装置８００が備える制御部は、ユーザに対する目的地近辺への到着の通知のために、可変増幅回路８０８，８１２の増幅率を主に制御する点が、上述した第１の実施の形態、第２の実施の形態、または第３の実施の形態における制御部と異なる。
【０１５５】
本実施の形態における音声再生装置８００の制御部は、ユーザに対する目的地近辺への到着の通知のために、可変増幅回路８０８，８１２の増幅率を制御する。例えば、制御部は、ユーザに対して目的地近辺への到着を通知するために、可変増幅回路８０８，８１２の増幅率を制御して、ＮＣ用フィルタ回路８０６から供給されるノイズキャンセリング用音声信号の増幅率と、モニタ用フィルタ回路８１０から供給されるモニタ用音声信号の増幅率とを変更する。これにより、加算回路８１６において、モニタ用音声信号が音楽信号に加算されるため、ユーザの音楽聴取環境が変化する。このため、ユーザは音楽聴取環境の変化によって目的地近辺に到着したことを把握することができる。また、モニタ用音声信号が音楽信号に加算されて加算信号が再生されると、周囲のノイズが強調されてユーザは車内アナウンスを聞き逃すことがなく、目的地に到着したことを把握することができる。また、モニタ用音声信号が音楽信号に加算されて加算信号が再生されると、強調された周囲のノイズによってユーザの睡眠が阻害されるため、ユーザは目を覚ますことができ、目的地を通り過ぎてしまうことがない。
【０１５６】
［１４．音声再生装置（第９の実施の形態）］
次に、本発明の第９の実施の形態に係る音声再生装置について説明する。図２０は、本実施の形態に係る音声再生装置の構成を概略的に示す説明図である。
【０１５７】
図２０において、音声再生装置９００は、マイクロホン９０２と、マイクアンプ９０４と、Ａ／Ｄ変換回路９０６と、ＤＳＰ（Ｄｉｇｉｔａｌ  Ｓｉｇｎａｌ  Ｐｒｏｃｅｓｓｏｒ）９０８と、Ｄ／Ａ変換回路９１０と、ヘッドホンアンプ９１２と、ヘッドホンドライバ９１４と、音声信号入力端９１６とを備える。マイクロホン９０２、マイクアンプ９０４、ヘッドホンアンプ９１２、ヘッドホンドライバ９１４、音声信号入力端９１６は、上述した第１の実施の形態における、マイクロホン１０２、マイクアンプ１０４、ヘッドホンアンプ１１２、ヘッドホンドライバ１１４、音声信号入力端１１６と同様の機能構成を有するため、これらの説明を省略する。
【０１５８】
Ａ／Ｄ変換回路９０６は、マイクアンプ９０４から供給されたアナログ音声信号をデジタル音声信号に変換する。Ａ／Ｄ変換回路９０６は、変換したデジタル音声信号をＤＳＰ９０８に供給する。ＤＳＰ９０８は、上述した各実施の形態におけるユーザに対する目的地近辺への到着の通知のための処理をデジタルフィルタなどを用いて実現する。ＤＳＰ９０８は、処理を施したデジタル音声信号をＤ／Ａ変換回路９１０に供給する。Ｄ／Ａ変換回路９１０は、ＤＳＰ９０８から供給されたデジタル音声信号をアナログ音声信号に変換する。Ｄ／Ａ変換回路９１０は、変換したアナログ音声信号をヘッドホンアンプ９１２に供給する。
【０１５９】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【０１６０】
この場合、記憶媒体から読み出されたプログラムコード自体が前述した各実施の形態の機能を実現することになり、そのプログラムコード及び該プログラムコードを記憶した記憶媒体は本発明を構成することになる。
【０１６１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【０１６２】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【０１６３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【０１６４】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１６５】
例えば、本発明の各実施の形態は適宜組み合わせることも可能である。
【符号の説明】
【０１６６】
１００    音声再生装置
１０２    マイクロホン
１０４    マイクアンプ
１０６    ノイズキャンセリング（ＮＣ）用フィルタ回路
１０８    スイッチ回路
１１０    加算回路
１１２    ヘッドホンアンプ
１１４    ヘッドホンドライバ
１１６    音声信号入力端
１１８    可変増幅回路
１２０    制御部
１２２    設定部
１２４    カウント部
１２６    通知制御部
１２８    操作部
１３０    時計部
１３２    センサ部
１３４    通信部
１３６    通信網
１３８    サーバ
【図１】
2011203654.tif 000003
【図２】
2011203654.tif 000004
【図３】
2011203654.tif 000005
【図４】
2011203654.tif 000006
【図５】
2011203654.tif 000007
【図６】
2011203654.tif 000008
【図７】
2011203654.tif 000009
【図８】
2011203654.tif 000010
【図９】
2011203654.tif 000011
【図１０】
2011203654.tif 000012
【図１１】
2011203654.tif 000013
【図１２】
2011203654.tif 000014
【図１３】
2011203654.tif 000015
【図１４】
2011203654.tif 000016
【図１５】
2011203654.tif 000017
【図１６】
2011203654.tif 000018
【図１７】
2011203654.tif 000019
【図１８】
2011203654.tif 000020
【図１９】
2011203654.tif 000021
【図２０】
2011203654.tif 000022